(57)【要約】      （修正有）【課題】墓に参拝の時、忙しい時や外部の鍵を持たない人も、普通の墓の様に墓塔碑正面にある献花台で参拝も出来る墓塔碑墓を提供する。【解決手段】古代エジブトのピラミッドのように墓に部屋が有り、古来から金持ち及び権力者しか出来なかった墓を墓石と同じぐらいの価格で実現して、死者を極楽に導きだす試みである。この墓塔碑はブロック鉄筋使用又はプラスチックか鉄板使用か木材使用他、各種材料を使用する。原則的にはブロック鉄筋使用を中心とする。入り口ドアー１０と採光窓雨戸１２を備えた採光およ換気用サッシ引き戸１３がある。墓塔碑正面は普通の墓と同じく、墓の鍵を持たない誰でも参拝出来る。【選択図】図５
2015038266.tif 000002
【特許請求の範囲】
【請求項１】
墓の中に室を有したことを特徴とする墓塔碑墓。
【請求項２】
前記墓塔碑墓正面に献花台、家名板、及び法名、先祖名、及び没年月日を記載する記載版があり、外からでも参拝出来る事を特徴とする請求項１に記載の墓塔碑墓。
【請求項３】
前記墓塔碑墓に入り口及び雨戸付き採光用窓サッシがあることを特徴とする請求項１又は請求項２に記載の墓塔碑墓。
【請求項４】
前記室内に座敷を有していることを特徴とする、請求項１〜３のいずれか１項に記載の墓塔碑墓。
【請求項５】
前記室内に仏壇を有していることを特徴とする、請求項１〜４のいずれか１項に記載の墓塔碑墓。
【請求項６】
前記室内に床の間を有していて、掛け軸が掛けられ又生け花が出来る花器も備えていることを特徴とする、請求項１〜５のいずれか１項に記載の墓塔碑墓。
【請求項７】
前記室内に納骨庫を有していることを特徴とする１〜６のいずれか１項に記載の墓塔碑墓。
【請求項８】
前記室内に囲炉裏を有していて茶室としても使用できることを特徴とする、請求項１〜７のいずれか１項に記載の墓塔碑墓。
【請求項９】
前記室内に仏壇や床の間の上には先祖の写真を掲示できる掲示板が有ることを特徴とする請求項１〜８のいずれか１項に記載の墓塔碑墓。
【発明の詳細な説明】
【技術分野】
【０００１】本発明は墓塔の内部に仏間を設け、その中に床の間、仏壇、納骨庫及び囲炉裏があり、床の間に生け花を飾り、囲炉裏で湯を沸かして、お茶が立てられる茶室ともなり、墓参りに来た人をと茶を飲んで労を労い又その時に故人を偲んで、畳の部屋で雑談が出来、その上で心からの供養をするものである
【背景技術】
【０００２】墓に部屋を設けた物は、従来古代エジブトのピラミットにみられるが、それは当時の権力者の墓として有るのみである。今の墓は死屍や埋骨を冷たく暗く、寒く暑く狭い地下の中に、死者の霊の意に反して埋めている。死者は死人に口無しで、本当に辛い地獄の思いを永遠にして地下の中でして暮らして居ると思う。そんな死者の霊を救い出す為にこの墓を考案した。
【発明の概要】
【発明が解決しようとする課題】
【０００３】永年に渡って、死者の霊は地下の狭く暗く寒く暑い、地獄のような場所に葬って居る。そんな死者の霊を極楽に導くための発想に伴う発明である。古代エジブトのピラミットのように墓に部屋があり、古来から金持ち及び権力者しかなかった墓を、墓石と同じぐらいな価格で実現して、死者を地獄から極楽に導きだす試みである。
【課題を解決するための手段】
【０００４】本発明は下記の通りである。
（１）墓の中に室を有した事を特徴とする墓塔碑墓、
（２）前記墓塔碑墓正面に献花台、家名版、及び法名、先祖名、及び没年月日を記載する記載版があり、外からでも参拝出来ることを特徴とする請求項１に記載の墓塔碑墓、
（３）前記墓塔碑墓に入り口及び雨戸つき採光用窓サッシが有る事を特徴とする（１）又は（２に記載の墓塔碑墓、
（４）前記室内に座敷を有している事を特徴とする、（１）〜（３）のいずれかに記載の墓塔碑墓、
（５）前記室内に仏壇を有していることを特徴とする、（１）〜（４）のいずれかに記載の墓塔碑墓、
（６）前記室内に床の間を有していて掛け軸が掛けられ又、生け花が出来る花器も備えていることを特徴とする（１）〜（５）のいずれかに記載の墓塔碑墓、
（７）前記室内に納骨庫を有していることを特徴とする（１〜（６）のいずれかに記載の墓塔碑墓、
（８）前記室内に囲炉裏わ有していて茶室としても使用できることを特徴とする、（１）〜（７）のいずれかに記載の墓塔碑墓、
（９）前記室内には先祖の写真を掲示できる掲示板があることを特徴とする（１）〜（８）のいずれかに記載の墓塔碑墓である。
墓の中に室を有した墓塔碑墓で有って前記室には仏間を有し、さらに仏壇、納骨庫、床の間、囲炉裏、及び座敷を有している墓塔碑墓で有って更に、前記墓塔碑正面に献花台、家名版、法名、先祖名、没年月日を記載する記載版が有り、外からでも参拝できる事を特徴とする。前記墓塔碑墓には入り口及び採光用窓サツシ及び採光用窓サツシ及び雨戸が有ることを特徴とする。墓塔碑墓室内に先祖写真を掛けることを特徴とする。【０００５】この墓碑塔は外壁は１ブロック積み鉄筋使用２合成樹脂使用３鉄板使用４木材使用５各種建築材料使用の物が有るが【０００６】墓塔碑の外壁は１ブロック積み鉄筋使用２合成樹脂使用３鉄板使用４木材使用５各種建築材料使用とする。
【発明の効果】
【０００７】この発明により、永遠に眠りに尽いて居る、暗い狭い寒い暑い環境の死者の霊の地下の地獄からの救出し、又、これからの死者の霊を永年過ごす心地よい環境作りを目指して、先祖を心から敬い、死者の霊を地獄の環境から救出出来る。
特徴利点  １  墓の室内に仏壇がある。
２  簿塔碑正面が墓石と同じ献花台を設け、忙しい時や墓の鍵を持たない部外者も参拝出来る。
３  墓の室内に納骨庫を有する。
４  墓の室内は畳の部屋が有る。
５  墓の室内に床の間が有り、生け花を飾られる。
６  墓の室内に囲炉裏が有り、茶室としても使用できる。
７  墓参りに来た人とお茶を飲みながら故人を偲ぶ事が出来る。
【図面の簡単な説明】
【０００８】
【図１】正面図
【図２】左側面図
【図３】右側面図
【図４】後面図
【図５】室内図
【発明を実施するための形態】
【０００９】簿塔碑の外壁はブロック鉄筋使用、合成樹脂使用、鉄板使用４木材使用、各種建築材料を使用する。
図１墓塔碑正面図の１、外壁はブロックに鉄筋を使用する。塗装は好みに応じて色を選べる。２は家名を掲載するプレートを取り付ける。３は法名、没者氏名及び没年月日を記載するプレートを取り付けるる。４は花立で５は線香立てで６は献花台で７は墓塔碑土台で８は墓敷地で有る。
図２墓塔碑右側面図で９側面外壁の塗装及び建築材料は図１、３、４外壁と同じで４は花立て５は献花台１０は墓塔碑入り口ドアー１１はドアー取って及び鍵で有る。
図３墓塔碑左側面図２３外壁も図１、２、４と同じで１２は採光よう窓サツシの雨戸で１５は採光よう窓サツシ戸で１４はサツシ戸ってで１５は雨戸戸って及び鍵である。
図４墓塔碑後面図で外壁は図１、２、３と同じで有る。
図５墓塔碑室内図の内部１６畳で１７仏壇で１８は床の間で１９は納骨及び納骨庫で２０は囲炉裏２１は花器で２２は掛け軸で２５は写真を飾る遺影陳列場所で２６は座布団で有る
【符号の説明】
【００１０】  １  墓塔碑正面図
２  家名墓碑記載版
３  法名、名前、死亡年月日記載版
４  花立
５  線香立て
６  献花台
７  墓塔碑土台
８  墓敷地
９  墓塔碑左側面壁
１０  墓塔碑入り口ドアー
１１  墓塔碑入り口ドアー取っ手及び鍵
１２  墓塔碑採光窓雨戸
１３  墓塔碑採光窓引き戸サツシ
１４  墓塔碑採光窓雨戸及び鍵
１５  墓塔碑採光窓引き戸サツシ戸っ手
１６  墓塔碑室内畳
１７  墓塔碑仏壇
１８  墓塔碑床の間
１９  墓塔碑納骨庫及び納骨
２０  墓塔碑囲炉裏
２１  墓塔碑床の間生け花花器
２２  墓塔碑床の間掛け軸
２３  墓塔碑右側面壁
２４  墓塔碑後面壁
２５  先祖写真
２６  座布団
２７  茶釜
２８  ガスコン
【図１】
2015038266.tif 000003
【図２】
2015038266.tif 000004
【図３】
2015038266.tif 000005
【図４】
2015038266.tif 000006
【図５】
2015038266.tif 000007